【手続補正書】
【提出日】平成16年5月19日(2004.5.19)
【手続補正１】
【補正対象書類名】明細書
【補正対象項目名】特許請求の範囲
【補正方法】変更
【補正の内容】
【特許請求の範囲】
【請求項１】
ローカルエリアネットワークやインターネット等のコンピュータネットワークに接続するための手段と、
公衆回線を接続するための手段と、
前記公衆回線を介してファクシミリ画像データを受信するファクシミリ受信手段と、
前記ファクシミリ受信手段で受信したファクシミリ画像データの少なくとも送信元電話番号及び受信日時を認識する認識手段と、
前記公衆回線から電子メールデータの転送先情報を受信する手段と、
受信したファクシミリ画像データを電子メールデータの形式に変換する変換手段と、
前記受信した転送先情報に基づいて、前記コンピュータネットワークの電子メール宛先を指定し、その指定した宛先に前記変換手段により変換したファクシミリ画像データ、前記認識手段で認識した送信元電話番号及び受信日時を含む電子メールデータを送信する送信手段を有することを特徴とする通信装置。
【請求項２】
請求項１において、
前記送信手段は、前記受信した転送先情報に基づいて、前記コンピュータネットワークの電子メール宛先を指定する宛先指定手段と、前記コンピュータネットワークの電子メールサーバ内の所望のポストオフィスを指定するポストオフィス指定手段を含むことを特徴とする通信装置。
【請求項３】
請求項１において、
前記公衆回線から前記転送先情報とパスワード情報を受信し、前記転送先情報に対応する電子メール転送先情報が予め設定されているか否かを判定し、かつ、受信したパスワード情報が予め設定されているパスワード情報と一致するか否かを判定し、その判定結果に従って、前記変換した電子メールデータの送信を行うことを特徴とする通信装置。
【請求項４】
請求項１において、
予め数字情報と対応して電子メール宛先の電子メールアドレス情報を登録するための記憶手段を有し、
前記転送先情報を数字情報として受信し、受信した数字情報に対応する電子メール宛先のアドレス情報を前記記憶手段から読み出して、電子メール宛先を指定することを特徴とする通信装置。
【請求項５】
請求項３において、
前記パスワード情報を数字情報として受信することを特徴とする通信装置。
【請求項６】
請求項１において、
前記転送先情報をトーン信号により受信することを特徴とする通信装置。
【請求項７】
請求項６において、
前記トーン信号は、ＤＴＭＦ信号であることを特徴とする通信装置。
【請求項８】
請求項１において、
前記公衆回線からの着信後、前記公衆回線からの信号受信を監視するための規定時間以内に前記転送先情報及びファクシミリ通信に関する信号が受信されなかった場合に、前記公衆回線を開放するか、それとも前記公衆回線を介したファクシミリ受信処理を行うかを選択する手段を有すること特徴とする通信装置。
【請求項９】
請求項４において、
前記転送先情報をファクシミリ通信手順の手順信号により受信することを特徴とする通信装置。
【請求項１０】
請求項５において、
前記パスワード情報をファクシミリ通信手順の手順信号により受信することを特徴とする通信装置。
【請求項１１】
請求項９において、
前記ファクシミリ通信手順の手順信号は、Ｔ．３０勧告のサブアドレス信号又はセレクティブポーリング信号であることを特徴とする通信装置。
【請求項１２】
請求項１０において、
前記ファクシミリ通信手順の手順信号は、Ｔ．３０勧告のパスワード信号であることを特徴とする通信装置。
【請求項１３】
ローカルエリアネットワーク、インターネット等のコンピュータネットワークと公衆網に接続され、ファクシミリ通信機能を有する通信装置における通信方法において、
前記公衆網から遠隔指示を受信し、
前記公衆網を介してファクシミリ画像データを受信し、
前記受信したファクシミリ画像データの少なくとも送信元電話番号及び受信日時を認識し、
受信したファクシミリ画像データを電子メールデータの形式に変換し、
前記受信した遠隔指示に従って、前記コンピュータネットワークの電子メール宛先を指定し、その指定した宛先に前記変換したファクシミリ画像データ、前記認識した送信元電話番号及び受信日時を含む電子メールデータを送信することを特徴とする通信方法。
【請求項１４】
請求項１３において、
前記遠隔指示は、電子メールデータの転送先情報とパスワード情報を含み、前記転送先情報に対応する電子メール転送先情報が予め設定されているか否かを判定し、かつ、受信したパスワード情報が予め設定されているパスワード情報と一致するか否かを判定し、その判定結果に従って、前記変換した電子メールデータの送信を行うことを特徴とする通信方法。
【請求項１５】
請求項１４において、
前記受信した転送先情報に基づいて、前記コンピュータネットワークの電子メール宛先を指定し、前記コンピュータネットワークの電子メールサーバ内の所望のポストオフィスを指定することを特徴とする通信方法。
【請求項１６】
請求項１４において、
予め数字情報と対応して電子メール宛先の電子メールアドレス情報を記憶手段に登録し、
前記転送先情報を数字情報として受信し、受信した数字情報に対応する電子メール宛先のアドレス情報を前記記憶手段から読み出して、電子メール宛先を指定することを特徴とする通信方法。
【請求項１７】
請求項１４において、
前記パスワード情報を数字情報として受信することを特徴とする通信方法。
【請求項１８】
請求項１４において、
前記転送先情報をトーン信号により受信することを特徴とする通信方法。
【請求項１９】
請求項１８において、
前記トーン信号は、ＤＴＭＦ信号であることを特徴とする通信方法。
【請求項２０】
請求項１４において、
前記公衆回線からの着信後、前記公衆回線からの信号受信を監視するための規定時間以内に前記転送先情報及びファクシミリ通信に関する信号が受信されなかった場合に、予め設定されているモード情報に従って、前記公衆回線を開放するか、それとも前記公衆回線を介したファクシミリ受信処理を行うかを選択すること特徴とする通信方法。
【請求項２１】
請求項１４において、
前記転送先情報をファクシミリ通信手順の手順信号により受信することを特徴とする通信方法。
【請求項２２】
請求項１４において、
前記パスワード情報をファクシミリ通信手順の手順信号により受信することを特徴とする通信方法。
【請求項２３】
請求項２１において、
前記ファクシミリ通信手順の手順信号は、Ｔ．３０勧告のサブアドレス信号又はセレクティブポーリング信号であることを特徴とする通信方法。
【請求項２４】
請求項２２において、
前記ファクシミリ通信手順の手順信号は、Ｔ．３０勧告のパスワード信号であることを特徴とする通信方法。
【請求項２５】
ローカルエリアネットワーク、インターネット等のコンピュータネットワークと公衆網に接続され、ファクシミリ通信機能を有する通信装置のコンピュータにより実行されるコンピュータプログラムを格納した記憶媒体において、
前記公衆網から遠隔指示を受信するための処理と、
前記公衆網を介してファクシミリ画像データを受信する処理と、
前記受信したファクシミリ画像データの少なくとも送信元電話番号及び受信日時を認識する処理と、
受信したファクシミリ画像データを電子メールデータの形式に変換する処理と、
前記受信した遠隔指示に従って、前記コンピュータネットワークの電子メール宛先を指定し、その指定した宛先に前記変換したファクシミリ画像データ、前記認識した送信元電話番号及び受信日時を含む電子メールデータを送信する処理を有するコンピュータプログラムを格納したことを特徴とする記憶媒体。
【請求項２６】
請求項２５において、
前記遠隔指示は、電子メールデータの転送先情報とパスワード情報を含み、前記転送先情報に対応する電子メール転送先情報が予め設定されているか否かを判定し、かつ、受信したパスワード情報が予め設定されているパスワード情報と一致するか否かを判定し、その判定結果に従って、前記変換した電子メールデータの送信を行う処理を含むコンピュータプログラムを格納したことを特徴とする記憶媒体。
【請求項２７】
請求項２６において、
前記受信した転送先情報に基づいて、前記コンピュータネットワークの電子メール宛先を指定し、前記コンピュータネットワークの電子メールサーバ内の所望のポストオフィスを指定する処理を含むコンピュータプログラムを格納したことを特徴とする記憶媒体。
【請求項２８】
請求項２６において、
予め数字情報と対応して電子メール宛先の電子メールアドレス情報を記憶手段に登録する処理と、
前記転送先情報を数字情報として受信し、受信した数字情報に対応する電子メール宛先のアドレス情報を前記記憶手段から読み出して、電子メール宛先を指定する処理を含むコンピュータプログラムを格納したことを特徴とする記憶媒体。
【請求項２９】
請求項２６において、
前記パスワード情報を数字情報として受信する処理を含むコンピュータプログラムを格納したことを特徴とする記憶媒体。
【請求項３０】
請求項２６において、
前記転送先情報をＤＴＭＦ信号により受信する処理を含むコンピュータプログラムを格納したことを特徴とする記憶媒体。
【請求項３１】
請求項２６において、
前記公衆回線からの着信後、前記公衆回線からの信号受信を監視するための規定時間以内に前記転送先情報及びファクシミリ通信に関する信号が受信されなかった場合に、予め設定されているモード情報に従って、前記公衆回線を開放するか、それとも前記公衆回線を介したファクシミリ受信処理を行うかを選択する処理を含むコンピュータプログラムを格納したことを特徴とする記憶媒体。
【請求項３２】
請求項２６において、
前記転送先情報をファクシミリ通信手順の手順信号により受信する処理を含むコンピュータプログラムを格納したことを特徴とする記憶媒体。
【請求項３３】
請求項２６において、
前記パスワード情報をファクシミリ通信手順の手順信号により受信する処理を含むコンピュータプログラムを格納したことを特徴とする記憶媒体。
【請求項３４】
請求項２６において、
前記転送先情報をファクシミリ通信手順のＴ．３０勧告のサブアドレス信号又はセレクティブポーリング信号により受信する処理を含むコンピュータプログラムを格納したことを特徴とする記憶媒体。
【請求項３５】
請求項２６において、
前記転送先情報をファクシミリ通信手順のＴ．３０勧告のパスワード信号により受信する処理を含むコンピュータプログラムを格納したことを特徴とする記憶媒体。
【手続補正２】
【補正対象書類名】明細書
【補正対象項目名】０００７
【補正方法】変更
【補正の内容】
【０００７】
【課題を解決するための手段】
本発明では通信装置に、ローカルエリアネットワークやインターネット等のコンピュータネットワークに接続するための手段と、公衆回線を接続するための手段と、前記公衆回線を介してファクシミリ画像データを受信するファクシミリ受信手段と、前記ファクシミリ受信手段で受信したファクシミリ画像データの少なくとも送信元電話番号及び受信日時を認識する認識手段と、前記公衆回線から電子メールデータの転送先情報を受信する手段と、受信したファクシミリ画像データを電子メールデータの形式に変換する変換手段と、前記受信した転送先情報に基づいて、前記コンピュータネットワークの電子メール宛先を指定し、その指定した宛先に前記変換手段により変換したファクシミリ画像データ、前記認識手段で認識した送信元電話番号及び受信日時を含む電子メールデータを送信する送信手段を設けたものである。
【手続補正３】
【補正対象書類名】明細書
【補正対象項目名】００７８
【補正方法】変更
【補正の内容】
【００７８】
【発明の効果】
以上の様に、本発明によれば、公衆回線から受信したファクシミリ受信画像データを、その送信元のファクシミリ装置の操作者により指定されたコンピュータネットワークの電子メール宛先に転送することが可能となり、一般の公衆網のファクシミリ装置からのファクシミリ画像データを電子メールデータとしてコンピュータネットワークの電子メール宛先に転送することが可能となる。しかも、受信したファクシミリ画像の送信元電話番号及び受信日時が含まれるので電子メール宛先でファクシミリ受信時の上記情報も認識可能である。
【手続補正４】
【補正対象書類名】明細書
【補正対象項目名】００７９
【補正方法】削除
【補正の内容】
【手続補正５】
【補正対象書類名】明細書
【補正対象項目名】００８０
【補正方法】削除
【補正の内容】